(57)【要約】【課題】  枠組壁工法により建てられた木造家屋の１階床構造に関して、床構造の部品数を削減することによって簡易で施工期間の短縮された１階床構造構築方法を提供する。また１階床構造の部品数を削減しても所望の強度を維持し、且つ木の暖かみを具え床鳴りの発生しない１階床構造を提供する。【解決手段】  従来の枠組壁工法により木造家屋の１階床構造において用いられていた床根太１０５、端根太１０６等の根太部材および床束１０７を省略することによって１階床構造の施工期間を短縮する。またその際に集成材からなる大引き４を金具により集成材からなる土台３に固定して床構造を構築することによって、１階床構造に所望の強度を維持し、木の暖かみを損なうことなく床鳴りを効果的に防止する。【選択図】  図１
2005188100.tif 000002
【特許請求の範囲】
【請求項１】
枠組壁工法により形成される木造家屋の１階床構造構築工法において、コンクリート基礎の上に集成材からなる土台を固定する工程と、集成材からなる大引きの両端部を前記集成材からなる土台の側面に金具で固定することにより前記集成材からなる大引きを支持する工程と、前記土台および前記大引きの上面に床面材を敷設する工程とを含むことを特徴とする１階床構造構築工法。
【請求項２】
枠組壁工法により形成される木造家屋の１階床構造であって、コンクリート基礎の上に固定される土台と、金具で前記土台に固定されることにより支持される大引きと、前記土台および前記大引きの上面に敷設される床面材とを有し、且つ前記土台および前記大引きが集成材からなることを特徴とする１階床構造。
【発明の詳細な説明】
【技術分野】
【０００１】
本発明は、木造家屋の床構造構築工法及び床構造の発明に関し、さらに詳しくは、枠組壁工法により形成される木造家屋の１階床構造構築工法及び床構造に関する。
【背景技術】
【０００２】
木造家屋の工法の一つである枠組壁工法、所謂ツーバイフォー工法は、枠組みと約２インチ×約４インチの構造用面材を基準材に用いた壁面とを構築し、次いで天井部及び屋根部を構築する工法として知られている（例えば非特許文献１参照）。従って図４に示すように、この枠組壁工法で建てられた木造家屋の基本構造１２０は、床面１２１、壁面１２２〜１２５、天井面１２６の計６面の箱型で一つの居室を構成する６面体構造を有し、その頑丈な６面体構造により支えられている。
【０００３】
これに対し、従来から知られている軸組工法は、土台、柱、軒桁、梁等の軸組みを基本構造とする、木造家屋の構築工法である。従って、軸組工法で建てられた木造家屋の基本構造１３０は、図５に示すように土台１３１、柱１３２、梁１３３等よりなる軸組構造により支えられている。上記軸組工法では、土台１３１、柱１３２、梁１３３等の骨組構築後、屋根部が設けられ、次いで壁面等が設けられる。
【０００４】
工法順序に関して枠組壁工法と軸組工法とを比較すると、上述のとおり枠組壁工法は、基礎及び床構造を構築した後、壁部を組み立て、次いで屋根部を設けるというように下から順に構築していく工法である。従って軸組工法が施工期間初期に天井部が設けられるのに比較して、枠組壁工法は屋根部（天井部）が設けられる時期が遅いという特徴を有している。
【０００５】
また枠組壁工法により建てられた６面体構造よりなる基本構造１２０を有する木造家屋は、軸組工法によって建てられた基本構造１３０を有する木造家屋と比較して、地震や台風等によって外から力が加わった場合に、その外因力を６面体構造よりなる基本構造１２０の全面で吸収し且つ分散させることができ、耐震性及び耐風性に優れている。
【０００６】
上記枠組壁工法により建てられた耐震性、耐風性に優れた木造家屋の基本構造１２０と基礎との間には、１階床構造が構築される。かかる床構造が設けられることにより基礎と上記６面体とが一体化され、これにより上記基本構造１２０の耐震性、耐風性が確実ならしめられるものである。従って１階床構造は、枠組壁工法において施工される木造家屋の重要な構造部分である。
【０００７】
一般的な枠組壁工法における１階床構造は、図３に示されるように、地盤１１３に設けられた布基礎１０１及び防湿用コンクリート１０２上において、土台１０３、大引き１０４、床束１０７、床根太１０５、端根太１０６及び床下張り部１０９と床仕上げ部１１０とからなる床面１０８より構成されている。通常、土台１０３、大引き１０４には断面寸法高さ９０ｍｍ×幅９０ｍｍの木材、床根太１０５には断面寸法高さ１４０ｍｍ×幅３８ｍｍの木材、端根太１０６には断面寸法高さ１４０ｍｍ×幅９０ｍｍの木材、床下張り部には厚み２０ｍｍ前後の構造用合板が用いられる。これら各構成部材は、一般的に、布基礎１０１上に土台１０３が固定され、防湿用コンクリート１０２上面に床束１０７が土台１０３と平行な方向に一定間隔で接着固定され、該床束１０７上面に大引き１０４を固定することによって大引き１０４が支持され、土台１０３及び大引き１０４上面においてこれらと交叉方向に床根太１０５が固定され、床根太１０５、端根太１０６等の根太部材上に床下張り部１０９と床仕上げ部１１０とを順次敷設してなる床面１０８を設けて構成される。
【０００８】
上記床構造構成部材において、土台１０３、大引き１０４及び床根太１０５、端根太１０６には、それぞれ未乾燥の無垢材または防腐、防虫処理した無垢材が用いられ、床束１０７には、金属製、または木製のものが用いられ、床面１０８を構成する床下張り部１０９には、乾燥材よりなる構造用合板が、床仕上げ部１１０には任意の床仕上げ材が用いられるのが一般的である。
【０００９】
また近年、床根太、端根太等の根太部材が省略され土台及び大引き上面に集成材よりなる長尺材を床下張り部材として用いる根太省略工法が提案されている（例えば特許文献１参照）。該根太省略工法は、集成材自体の強度に加えて接着剤及び木捻子併用で床面を固定することにより床の一面一体化を図り、床面の強度を向上させるとともに床鳴りの防止された床面を提供し得る工法として用いられている。
【００１０】
また別の根太省略工法としては、床下張り部材に集成材を用いる代わりに、従来から用いられているベニヤ等の構造用合板であって厚みを従来より増加させた部材を用いることによって床面の一定の強度を確保する工法も知られている。
【００１１】
【特許文献１】特開平８−１７７１５４号公報
【非特許文献１】「枠組壁工法住宅施工マニュアル  構造躯体編」、財団法人  住宅金融普及協会、２００２年１１月、ｐ．８−ｐ．１５
【発明の開示】
【発明が解決しようとする課題】
【００１２】
上記従来の枠組壁工法では、軸組工法に比べて、屋根部構築時期が遅いため、屋根部構築前に既に施工された枠組みが雨によって濡れる可能性が高いという問題がある。特に施工期間初期に構築される床構造は雨の影響を受ける確率が高いという問題がある。従って枠組壁工法において屋根部構築までの施工期間を短縮し、雨の影響を受ける確率を下げることが望まれている。
【００１３】
また特に、雨に濡れた状態で床面の施工を完了してしまうと床下部分に湿気がこもり望ましくないため、１階床構造部分の構築は雨天を避けてできるだけ速やかに行われることが望まれている。しかし、上述のとおり１階床構造は部品数が多く、施工作業が非常に煩雑であり、施工に時間がかかる構造部分である。
【００１４】
特に、大引き１０４を支持する床束１０７は、該床束１０７底面と防湿用コンクリート１０２上面とを強固に接着することが必要である。しかし防湿用コンクリート１０２上面は完全には平滑でないため上記接着の作業性が悪いという問題がある。更に雨天時における床束１０７の接着作業では、接着面が濡れるため、該接着作業において水耐性の接着剤を用いても床束１０７底面と防湿用コンクリート１０２上面との接着性が低下するおそれがあるという問題がある。一方、上記床束１０７の設置を省略してしまうと大引き１０４を支持するものがなくなり、その結果、床構造に求められる所望の強度が確保できなくなるという問題があり、現実的ではない。
【００１５】
ところで枠組壁工法における１階床構造には、別の問題点として、木造家屋における１階床面上における歩行の際等に発生する床鳴りの問題がある。上記床鳴りは、木造家屋の居住者に不快感を与える。一方、施工者にとっても施工後のアフターケアとして床鳴りのメンテナンスを余儀なくされるものであるので、床鳴りは居住者及び施工者の両者において重大な問題である。上述の根太省略工法では、土台及び大引きと集成材よりなる床下張り部材とを接着剤及び木捻子により接着し床の一面一体化を図ることによって床面の床鳴りが防止されている。しかし上記根太省略工法では、土台、大引き及び床束等の部材には何ら改良がみられず、かかる部材間及びそれらの周辺部材間から発生する床鳴りが無くなるものではない。
【００１６】
本発明者らは上記床鳴りについて鋭意研究した結果、１階床構造において発生する床鳴りの原因は、以下に述べる現象により発生することを見出した。即ち、乾燥により床構造に用いられている木材の水分含有率が減少し、これにより木材が収縮してねじれやゆがみが発生し木材の形状が変形することによって、木材間または木材と他の部材との間に空隙が生じ、該空隙を有する領域に歩行等による圧力がかかることにより床鳴りが発生するのである。従って、１階床構造部分における床鳴りを防止するには、１階床構造において上記空隙が生じることのない床構造を構築しなければならないという問題があった。
【００１７】
上記解決策として、１階床構造に用いられる構成部材にコンクリートや硬質樹脂等の変形の生じ難い材質による部材を用いることも考えられ得る。しかし、かかる部材を用いた床構造では、床面における木材本来の弾力性が無いため、床面上を歩行した際に足裏面に非常に硬質な感触を与え、木造家屋特有の木の暖かみが損なわれるという問題がある。
【００１８】
本発明は、上記問題点を鑑みなされたもので、枠組壁工法における木造家屋１階床構造において、床構造に求められる所望の強度を維持した上で床束及び根太部材を省略することができ、これにより簡易化され施工期間が短縮化された床構造構築工法並びに本工法により構築された木の暖かみを具え且つ床鳴りのしない床構造を提供することを目的とする。
【課題を解決するための手段】
【００１９】
即ち本発明の枠組壁工法により形成される木造家屋の１階床構造構築工法は、コンクリート基礎の上に集成材からなる土台を固定する工程と、集成材からなる大引きの両端部を前記集成材からなる土台の側面に金具５で固定することにより前記集成材からなる大引きを支持する工程と、前記土台及び前記大引きの上面に床面を敷設する工程とを含むことを特徴とする１階床構造構築工法を要旨とする。
【００２０】
また本発明の１階床構造は、コンクリート基礎の上に固定される土台と、金具で前記土台に固定されることにより支持される大引きと、前記土台及び前記大引きの上面に敷設される床面とを有し、且つ前記土台及び前記大引きが集成材からなることを特徴とする１階床構造を要旨とする。
【発明の効果】
【００２１】
集成材よりなる土台及び大引きを用いる本発明の１階床構造構築工法によれば、床束及び根太部材を省略しても、１階床構造に求められる所望の強度を充分に維持することができるので、床束を用いずとも確実に大引きを支持することができる。従って防湿用コンクリート上面への床束の接着固定という煩雑な作業を省略することができるため、１階床構造構築の工法が簡易化され、床構造の施工期間が短縮される。
【００２２】
またさらに本発明の１階床構造構は、強度の強い集成材よりなる土台及び大引きより構成されているため、該土台及び大引き上面に従来と同様の床面を直接敷設しても該床面にかかる鉛直荷重を充分に支えることができる。即ち本発明では、根太が省略されても床面における床下張り部材に従来と同様の材質及び同等の厚みの構造用合板を用いることが可能である。
【００２３】
さらに本発明の１階床構造は、根太が省略されているから、従来の１階床構造と対比して根太の高さだけ１階床面を低く形成することができる。これにより特に玄関部分において、踏み台を設けずとも昇降可能な高さに玄関を設計することが可能である。また木造家屋の規定の高さの範囲内において従来よりも床面の高さを下げることにより、相対的に床面から天井までの距離を広げることができるので、従来よりも拡大された居住空間を提供することが可能である。
【００２４】
上述のように本発明では、集成材よりなる土台及び大引きを用いることによって、従来の枠組壁工法における１階床構造に用いられていた床束及び根太を省略することができ、この結果、本発明によれば、非常に簡易に１階床構造を構築することができ、これにより施工期間を短縮することができる。施工期間が短縮された結果、屋根部構築前に既に施工された部分が雨によって濡れる確率が減少し、且つ降雨を避け速やかに１階床部分を完成することができるので非常に好ましい。
【００２５】
また本発明によれば、施工期間が短縮されたことにより人件費が削減されることに加え、床構造に用いられる部品数を減少させることができるので建材費用が削減されるため、経済的にも優れている。
【００２６】
さらに本発明において水分含有率の低い集成材を土台及び大引きに用いることにより、乾燥による木材の形状の変形が生じることがない。即ち、木材の性質から、水分含有率が一定の低い水分含有率に落ち着いた木材ではそれ以上水分が急激に放出されたり或いは水分が急激に吸収されたりすることがないため、上記本発明における土台及び大引きにおいても、水分放出により収縮、ねじれ、ゆがみ等の木材の変形が生じることがないのである。これによって木材間及び木材と他の構造部分との間に空隙が形成されることがなく、木の暖かみを維持した床構造を有する木造家屋において非常に大きな問題であった床鳴りが発生しない１階床構造を提供することができる。
【００２７】
本発明による１階床構造は、上述のとおり床鳴りが発生しないので、居住者の床鳴りに対する不快感が解消されるとともに、施工者においても床鳴りに対するメンテナンスを行う必要が無くなり労力及びコストともに削減することができるという点で、非常に優れている。
【００２８】
また従来は屋根構築前における雨天時には、床構造部分にビニルシートをかぶせて床構造を保護する必要があったが、本願発明によれば、施工期間が短縮されて床構造が雨により濡れる確率が低くなった上、集成材よりなる土台及び大引きを使用しているので土台及び大引きにおける水分吸収の問題がないので、上記床構造の保護が省略可能となり、施工時の作業性が向上した。
【発明を実施するための最良の形態】
【００２９】
図１は、本発明の１階床構造の一実施形態を示す断面図である。図１に示される本発明の１階床構造は、地盤１３上に布基礎１及び防湿用コンクリート２が設けられ、布基礎１上面に集成材よりなる土台３が配置されてアンカーボルト６で固定されている。上記固定は、布基礎１の上面に該アンカーボルト６の端部を埋設しもう一方の端部を垂直方向に立設せしめ、土台３に設けられた該アンカーボルト６貫通用穴部に、上記垂直方向に立設するアンカーボルト６を挿入し、挿入されたボルトの端部をナットで締め付けることによって行われる。さらに固定された土台３のうち平行して設けられた土台３、３間において、集成材よりなる大引き４が土台３と上面の高さを揃えられて一定間隔で横設され、大引き４の両端部がそれぞれ土台３の側面に金具５によって固定される。上記金具５は、図６に示されるように、釘打ち込み用穴部１５、接合面１６、１７を具えており、上記接合面を、大引き４の端部側面と土台３の側面に接合させ、釘打ち込み用穴部１５に釘打ちすることによって、大引き４が土台３に固定されている。次いで土台３及び大引き４の上面に床下張り部８を敷設し釘打ち及び補助的な接着により固定し、更にその上に床仕上げ部９を敷設し接着固定してなる床面７が設けられる。
【００３０】
尚、本発明に用いられるコンクリート基礎は、特に限定されず、枠組壁工法において用いることのできる一般的なコンクリート基礎であれば任意選択的に用いることができるが、例えば布基礎やべた基礎等がある。
【００３１】
即ち、図１に示すように本発明の１階床構造では、図３に示す従来の枠組壁工法において用いられていた大引き１０４を支持する床束１０７並びに土台１０３及び大引き１０４と床面１０８との間に用いられていた床根太１０５、端根太１０６等の根太部材が用いられておらず、さらには土台３と大引き４は集成材より形成されている。以下、本発明の木造家屋の床構造構築工法及び床構造についてさらに詳細に説明する。
【００３２】
本発明の１階床構造構築工法及び床構造は、枠組壁工法における木造家屋の１階床構造に関するものである。上記１階床構造構築工法及び床構造において、布基礎１及び防湿用コンクリート２は、従来の一般的な構築方法と同様の方法で設けることができる。
【００３３】
例えば布基礎１及び防湿用コンクリート２の構築方法としては、まず地盤１３に布基礎を設けた後、床下部分に相当する地盤上面に直接コンクリートを打設し、或いは該地盤上面に防湿フィルムを敷設し次いでコンクリートを打設する方法が知られている。また別の基礎構造としては、防湿シートを地盤上に敷設し、その上面にべた基礎を構築する方法等により構築されるものがある。ただし、上記方法は例示であって、枠組壁工法により構築される木造家屋に適したコンクリート基礎構造であれば、適宜選択し採用することができる。
【００３４】
布基礎１は、構築する木造家屋の構造、間取り、部屋面積等によって適宜設けることができるが、少なくとも壁面材の鉛直荷重は土台３及び布基礎１によって支えられることが必要であるため、壁面材下方には布基礎１が設けられる。上記布基礎１の上には土台３が固定されるが、該土台３にはその側面において大引き４が固定されるものと固定されないものとがあり、特に大引き４が固定される土台３を固定する布基礎１、１間は、好ましくは約１３５０ｍｍ以上約１８５０ｍｍ以下の距離において、より好ましくは約１４５０ｍｍ以上約１５５０ｍｍ以下の距離において平行に設けられる。また上記大引き４が固定されない土台３を固定する布基礎１は、大引き４と平行方向に位置する基礎部分である。
【００３５】
本発明における土台３は、集成材よりなる水平部材である。土台３は、布基礎１の上に配置されアンカーボルト６により固定される。上記固定において、布基礎１上面と土台３下面とを接して固定してもよいし、布基礎１上面と土台３下面との間に一定の空間を設けて固定してもよい。例えば、布基礎１上面と土台３下面との間にゴムパッキン等を挟んで基礎と土台との間に一定の空間を確保して固定すれば、該空間が通気口となり床構造部分の通気性を向上することができるので望ましい。
【００３６】
土台３の寸法は、床構造に求められる強度を保持することができる範囲及び上面において支持する壁面材の寸法により適宜決定することができるが、一般的な断面寸法は、高さ９０ｍｍ、幅９０ｍｍである。
【００３７】
土台３を布基礎１の上に固定した後、本発明における大引き４を土台３、３間に配置し固定する。本発明における大引き４は集成材よりなる水平部材である。大引き４は、布基礎１に固定された土台３のうち平行して位置する土台３、３間において一定間隔で横設され、金具５を用いて土台３の側面に大引き４の端部が固定されることによって設けられる。
【００３８】
上記大引き４の寸法は、大引き４が床面７を介して受ける構造物の鉛直荷重等を計算して適宜決定することができるが、その断面寸法は、高さは土台３と同じであることが好ましく、幅は約６０ｍｍ以上約９０ｍｍ以下であることが好ましい。また大引き４の長さは、上記鉛直荷重や木造家屋の構造等により適宜決定することができるが、約１３５０ｍｍ以上約１８５０ｍｍ以下の長さであることが好ましく、約１４５０ｍｍ以上約１５５０ｍｍ以下の長さであることがより好ましい。上記好ましい寸法で形成された大引き４を一定間隔で横設する際には、大引き４、４間の間隔を、約４００ｍｍ以上約６００ｍｍ以下とすることが好ましく、約４５０ｍｍ以上約５５０ｍｍ以下とすることがより好ましい。上記好ましい範囲の距離で、上記好ましい範囲の長さの大引きが設置されることにより、床面材及びその上からかかる鉛直荷重に対して充分に安定した支持力を発揮することができて望ましい。
【００３９】
大引き４の上面の位置は任意に決定することができるが、土台３及び大引き４の上面の位置を水平に揃えることにより、これら水平部材の上部に配置される床面７の安定性を確保することができ、また土台３及び大引き４の上面によって均等に床面７を支持することができるので望ましい。このように強度に優れた集成材からなる土台３及び大引き４によって床面を支持することにより、従来設けられていた根太を省略しても床構造に求められる強度を充分に維持することができる。
【００４０】
上述のとおり大引き４の両端部は、それぞれ土台３の側面に金具５によって固定される。上記金具５は、大引き４と土台３とを確実に固定することができるものであれば特に制限されない。金具５の材質としては、一般的に溶融亜鉛めっき鋼板（例えばＪＩＳ  Ｇ３３０２  ＳＧＨＣ又はＳＧＣＣ）が用いられ、金具５の厚みは１．４５ｍｍ以上１．７５ｍｍ以下であることが好ましいが、材質及び厚みは上記に限定されるものではない。また金具５の形状は特に限定されないが、例えば図６に示されるようにＬ字型の金具５を用いることができる。Ｌ字型の金具５は、釘打ち込み用穴部１５及び直角に位置する接合面１６及び１７を具えている。上記Ｌ字型の金具５の一方の接合面と土台３の側面とが接し、もう一方の接合面と大引き４の端部側面とが接した状態で、上記釘打ち込み用穴部１５に釘が打ち込まれることにより、土台３、大引き４、金具５が一体に固定され、これにより大引き４は土台３に確実に固定される。尚、接合面と大引き４とを接合する場合には、大引き４の端部左右側面の両面において接合面１６が接合されてもよいし、該端部側面の一方に接合面１６を、もう一方の端部側面に接合面１７が接合されてもよい。
【００４１】
上記接合面１６及び１７に設けられる釘打ち込み用穴部１５は、接合面１６及び１７それぞれにおいて同位置及び／又は同数に設けられていてもよいし、異なる高さ及び／又は異なる数で設けられていてもよい。特に大引き４の幅が９０ｍｍ未満である場合には、接合面１６及び１７それぞれに設けられる釘打ち込み用穴部１５を異なる高さで設けることによって、大引き４を介して向き合う金具５それぞれの面から釘を打ち込んだ際に、左右各面から打ち込まれる釘同士の干渉が生じず好ましい。
【００４２】
本発明に用いられる集成材は、特に限定されないが、積層集成材であることが好ましく、また集成材の水分含有率は、約１５％以下であることが好ましい。例えば好ましい集成材としては、日本農林規格（ＪＡＳ）により定義される構造用集成材等が挙げられる。
【００４３】
本発明における集成材よりなる土台３及び大引き４は、図２に示されるような積層集成材１１より形成される。積層集成材１１の形成方法としては、まず原料となる木材の節や腐り部分を除去して厚み約５０ｍｍ以下の板材１４を形成し、該板材１４を乾燥して含水率１０〜１５％に管理する。次いで該板材１４の一端又は両端を鋭角な山部と谷部とにカットするフィンガー加工を施し、該フィンガー加工部分を接合してジョイント部１０を形成して所望の長さの板材１６とした後、上記板材１６に接着剤を塗布し複数層に重ねて加圧接着することによって積層集成材１１を形成する方法が一般的である。更に積層集成材１１を形成後、適宜防腐処理、防虫処理を行うことができる。上記積層集成材１１を所望の形状にカットすることにより、本発明における土台３、大引き４が形成される。
【００４４】
上記板材に塗布される接着剤としては、耐久性に優れるものであれば適宜選択で用いることができるが、例えばレゾルシノール樹脂系接着剤又はフェノール樹脂系接着剤等がある。
【００４５】
本発明に用いられる集成材の原料としては、木造家屋構築用木材であれば適宜選択することができるが、例えば米栂、米松、スプルス、檜、松、杉等を用いることができる。
【００４６】
上記積層集成材１１よりなる土台３及び大引き４は、節や腐り等の木材の強度を弱める部分があらかじめ取り除かれているため、積層集成材１１の形成に用いた原料用木材から形成された同寸法の木材と比較して約１．５倍の強度を有する。従って、従来の枠組壁工法において用いられていた床束を省略しても、金具５によって土台３に固定するだけで大引き４を支持することができる。また根太部材を省略しても床面７における床下張り部８に耐久性の部材を用いることなく、或いは床下張り部８の厚みを増加させることなく床構造に求められる所望の強度を確保することができる。
【００４７】
また積層集成材１１は水分含有率が１５％以下に管理された板材１４よりなる板材１６が積層されて形成されているため、積層集成材１１全体としても水分含有率が１５％以下になっている。これに対して、無垢材で形成された角材では、水分含有率が２０％〜３０％程度のものが一般的であり、上記角材を乾燥しても中心部と周囲部では一定の低い水分含有率を維持することが困難であるため、全体にわたって１５％以下の水分含有率を達成することができない。即ち角材の中心部の水分含有率が１０〜１５％になるように乾燥させると、該角材の周囲部の乾燥が過度に進み木材の割れ等が起こり、一方、周囲部の水分含有率を１０〜１５％になるよう乾燥すると、中心部の水分含有率はこれより高いものとなり、平均して１９〜２０％の水分含有率の木材しか得ることができないのである。
【００４８】
一般的に木材は、水分含有率が約１５％程度になるまで水分を放出して乾燥するという性質を有し、上記乾燥の過程で収縮、ねじれ、ゆがみ等により木材の変形が生じるのであるが、上述のとおり積層集成材１１はその水分含有率が１５％以下で一定しているため、乾燥による変形が生じるおそれがない。また一度水分含有率が１５％以下で安定した木材は、その後再び著しく水分を吸収することがないため、本発明の床構造であれば施工中に雨に降られても、積層集成材１１から形成される土台３及び大引き４の水分含有率が著しく上がることがない。
【００４９】
従って、積層集成材１１よりなる土台３及び大引き４を用いて構築された床構造では上記土台３及び大引き４の水分含有率の変化がほとんどないことから、形状の変形が生じない。これによって本発明の床構造では、木材間または木材と他の部材との間に空隙が生じず、木の暖かみを備えか且つ床鳴りの発生しない床構造を提供することができる。
【００５０】
本発明における土台３及び大引き４は、図２に示される積層集成材１１の積層面１２が長手方向に水平に位置するようにカットされて形成される。このようにして形成された土台３及び大引き４は、本発明の床構造において上記積層面１２が上下面になるように用いられてもよいし、左右側面として用いられてもよい。特に大引き４は、積層面１２を上下面にして用いることにより大引き４にかかる鉛直荷重に対しより高い強度が発揮されるため好ましい。また図１に例示される本発明の床構造では、板材１６が三層に積層する土台３及び板材１６が二層に積層する大引き４が用いられているが、本発明おける土台３及び大引き４における板材１６の積層数はこれに限定されるものではなく、土台３及び大引き４の所望の寸法と積層集成材１１を構成する各板材１６の厚みとから決定される。
【００５１】
本発明における床面７は、従来の枠組壁工法において用いられている一般的な床面と同様の工法により、土台３及び大引き４の上面に敷設することができる。例えば、構造用合板よりなる床下張り部８を土台３及び大引き４上面に敷設し、補助的に床用接着剤を用いて土台３及び大引き４上面に固定し、更に該床下張り部８上面から土台３及び大引き４に釘を打ち、次いで床用接着剤を用いて上記床張り部８の上面に床仕上げ部９を敷設固定することにより床面７を土台３及び大引き４の上面に敷設することができる。尚、本明細書及び特許請求の範囲において記載される床面とは、本発明の床構造のうち土台及び大引き上に設けられる構造部分のことをいい、床張り部及び床仕上げ部等の部材から構成される構造のことをいう。
【００５２】
本発明の１階床構造構築工法は、上述した各部材を用い、以下の工程を含んでなるものである。即ち、コンクリート基礎の上に集成材からなる土台３を固定する工程と、集成材からなる大引き４の両端部を前記集成材からなる土台の側面に金具５で固定することにより前記集成材からなる大引き４を支持する工程と、前記土台３及び前記大引き４の上面に床面材７を敷設する工程とを含むものである。
【００５３】
上述した本発明の床構造構築工法であれば、煩雑であった床束の接着固定の作業を省略することができ、さらに二重に設けられていた水平部材の一部、すなわち根太部材を省略することができるため、非常に簡易に床構造を構築することができ、施工期間を短縮することができる。
【００５４】
上記本発明の１階床構造構築後、壁面を構築し、次いで天井を構築することにより６面体構造を有する木造家屋を構築することができる。本発明の１階床構造を有する木造家屋では、強度が高く水分含有率が低い集成材よりなる土台３及び大引き４が用いられているため、１階床構造に所望の強度が維持され、木の暖かみが具わっており、且つ床鳴りが発生しないという優れた性質が発揮される。
【図面の簡単な説明】
【００５５】
【図１】本発明の構築工法により構築された床構造の一例を示す斜視図である。
【図２】本発明に用いられる積層集成材の一例を示す斜視図である。
【図３】従来の構築方法において構築された床構造を示す斜視図である。
【図４】枠組壁工法によって形成される木造家屋の基本構造を示す模式図である。
【図５】軸組工法によって形成される木造家屋の基本構造を示す模式図である。
【図６】本発明に用いられる金具の一例を示す斜視図である。
【符号の説明】
【００５６】
１      基礎
２      防湿用コンクリート
３      土台
４      大引き
５      金具
７      床面
８      床下張り部
９      床仕上げ部
１１    積層集成材
【図１】
2005188100.tif 000003
【図２】
2005188100.tif 000004
【図３】
2005188100.tif 000005
【図４】
2005188100.tif 000006
【図５】
2005188100.tif 000007
【図６】
2005188100.tif 000008